(57)【要約】【課題】本考案は、ずれた脊椎を真っすぐにする整復器を提供する。【解決手段】台座と、駆動モーターと、固定部材と、アクティブモジュールと、緩衝モジュールとからなる。前記台座には、駆動モーターが設けられ、前記駆動モーターには、少なくとも一つの回転部材が設けられ、前記台座における前記回転部材一側に隣接する箇所には、固定部材が設けられ、前記固定部材には、少なくとも一つの穿設部が形成される。前記固定部材は、アクティブモジュールに相互に組み合わされて作動し、前記アクティブモジュールには、コンタクト部材が穿設され、前記コンタクト部材は、前記回転部材と相互に組み合わされて作動する。前記アクティブモジュールには、複数の引っかけ部が設けられ、前記台座には、前記コンタクト部材と相互に接触して作動する緩衝モジュールが設けられる。【選択図】図１
0003178059.tif 000002
【実用新案登録請求の範囲】
【請求項１】
台座と、駆動モーターと、固定部材と、アクティブモジュールと、緩衝モジュールとからなる整復器であって、
駆動モーターは、前記台座上に設けられ、前記駆動モーターには、少なくとも一つの回転部材が設けられ、
固定部材は、前記台座に設けられるとともに、前記回転部材の一側に隣接され、前記固定部材には、少なくとも一つの穿設部が形成され、
アクティブモジュールは、前記固定部材と組み合わされて作動し、前記アクティブモジュールには、コンタクト部材が穿設され、前記コンタクト部材は、前記回転部材に組み合わされて作動し、前記アクティブモジュールには、使用者の足を置くための複数の引っかけ部が設けられ、
緩衝モジュールは、前記台座上に設けられるとともに、前記コンタクト部材と相互に接触することができることを特徴とする、整復器。
【請求項２】
前記回転部材には、前記コンタクト部材と組み合わされて作動する少なくとも一つのローラーが枢設され、前記アクティブモジュールは、前記固定部材内で伸縮して作動する第一バーと、前記第一バーに垂直に設けられる第二バーとを備え、前記引っかけ部は、前記第二バーの両端に設けられ、
前記緩衝モジュールは、固定横バーと、前記台座上に設けられるとともにそれぞれ前記固定横バーに穿設される二つの支持部材と、前記支持部材にスライド可能に設けられる二つのスライドブロックと、前記スライドブロック及び前記固定部材に相互に連結されて作動する少なくとも一つの弾性部材と、前記支持部材に固定される二つの位置決め部材と、前記コンタクト部材と当接するとともに前記スライドブロックと相互に連結する少なくとも一つの当接部材とを備え、
前記駆動モーターには電源コードが設けられ、前記弾性部材はバネであることを特徴とする、請求項１に記載の整復器。
【考案の詳細な説明】
【技術分野】
【０００１】
本考案は整復器に関し、特に脊椎を真っすぐにする整復器に関する。
【背景技術】
【０００２】
人体の全ての組織と器官は、骨格によって支えられている。特に、中心を支える脊椎は、七つの頸椎、十二の胸椎、五つの腰椎、三つの仙椎、三から六つの尾椎とからなる。中枢神経は、脊椎から椎体の間の隙間を通過するため、一旦脊椎がずれると、周囲の筋肉、靭帯が圧迫されて損傷し、通過する神経に直接影響を及ぼし、間接的に、神経に関わる末端器官、肌肉、或いは、分泌腺に影響を及ぼす。従って、脊椎神経が圧迫されると、両手両足に痛みが生じるだけでなく、内蔵等の器官に不快感が生じる。
【０００３】
深刻な脊椎の病気を治すためには、手術をするしかなく、比較的軽微な脊椎の症状の場合は、筋肉に電気的な刺激を与える、腰痛保護ベルトを使う、或いは、脊椎を支持する補助医療器材を使用する、或いは、座ったままや寝た状態で物理療法による治療師のマッサージを行うことによって改善させることになる。しかしながら、治療師に関して言うと、ベッドに横たわっている患者の位置がずれた或いは斜めになった脊椎に対して、上下或いは左右の角度へマッサージして矯正する或いは引っ張って調整するのは、操作が困難であり、うっかりすると、肌肉或いは靭帯が引っ張られることによる損傷を招くことがあり、ひどいときには断裂したり、神経の圧迫がひどくなったり、骨折したり、脊椎の位置がずれたり、麻痺したり、最悪、半身不随になることまである。
【考案の概要】
【考案が解決しようとする課題】
【０００４】
そこで、本考案は、ずれた脊椎を真っすぐにする整復器を提供することを目的とする。
【課題を解決するための手段】
【０００５】
上述の目的を達するために、本考案による整復器は、台座と、駆動モーターと、固定部材と、アクティブモジュールと、緩衝モジュールとからなる。前記台座には、駆動モーターが設けられ、前記駆動モーターには、少なくとも一つの回転部材が設けられ、前記台座における前記回転部材一側に隣接する箇所には、固定部材が設けられ、前記固定部材には、少なくとも一つの穿設部が形成される。前記固定部材は、アクティブモジュールに相互に組み合わされて作動し、前記アクティブモジュールには、コンタクト部材が穿設され、前記コンタクト部材は、前記回転部材と相互に組み合わされて作動する。前記アクティブモジュールには、複数の引っかけ部が設けられ、前記台座には、前記コンタクト部材と相互に接触して作動する緩衝モジュールが設けられる。
【考案の効果】
【０００６】
上述の構造と組み合わせにより、使用者は、足を引っかけ部に置いて、駆動モーターを作動させると、回転部材とコンタクト部材が相互に接触し、アクティブモジュールが、外部の力が加わることで、高い位置まで上方に移動し、それと同時に、使用者の足が、アクティブモジュールによって上に持ち上げられる。回転部材がコンタクト部材から離れた時、コンタクト部材は瞬間的に落下し、緩衝モジュールが、反発緩衝作用を生じる。以上により、上述の動作が反復して行われ、脊椎を真っすぐにすることができる。このように、本考案は、実用進歩性をもつ。
【図面の簡単な説明】
【０００７】
【図１】本考案の好ましい実施例の斜視図である。
【図２】本考案の好ましい実施例の分解図である。
【図３】本考案の好ましい実施例の一部の分解図である。
【図４】本考案の好ましい実施例の実施を示した説明図１である。
【図５】本考案の好ましい実施例の実施を示した説明図２である。
【考案を実施するための形態】
【０００８】
図１から図３を参照する。図１から図３は、本考案の好ましい実施例の斜視図、分解図、一部の分解図である。図から分かるように本考案の整復器は、台座１と、駆動モーター２と、固定部材２２と、アクティブモジュール３と、緩衝モジュール４とからなる。
【０００９】
駆動モーター２は、台座１に設けられる。また、駆動モーター２には、電源コード２０が設けられるとともに、少なくとも一つの回転部材２１が設けられ、回転部材２１には、後述するコンタクト部材３０と組み合わされて作動する少なくとも一つのローラー２１０が設けられる。固定部材２２は、台座１に設けられるとともに、回転部材２１の一側に隣接され、固定部材２２は少なくとも一つの穿設部２２０を形成する。アクティブモジュール３は、固定部材２２に組み合わされて作動する。アクティブモジュール３には、コンタクト部材３０が穿設され、コンタクト部材３０は、回転部材２１に組み合わせられて作動する。アクティブモジュール３には、使用者の足を置くための複数の引っかけ部３１が設けられ、アクティブモジュール３は、固定部材２２内で伸縮作動する第一バー３１１と、第一バー３１１に対して垂直に設けられる第二バー３１２とを備える。なお、引っかけ部３１は、第二バー３１２の両端に設けられる。緩衝モジュール４は、台座１に設けられるとともに、コンタクト部材３０と相互に接触する。
【００１０】
また、緩衝モジュール４は、固定横バー４１を備える。固定横バー４１には、それぞれ、台座１に設けられる二つの支持部材４２が穿設され、支持部材４２には、二つのスライドブロック４３がスライド可能に設けられる。スライドブロック４３と固定部材２２は、少なくとも一つの弾性部材４４を介して相互に連結作動し、支持部材４２には、二つの位置決め部材４５が固定して設けられ、スライドブロック４３には、コンタクト部材３０と相互に当接して作動する少なくとも一つの当接部材４６が設けられる。なお、弾性部材４４はバネである。
【００１１】
上述の構造、組合せによる本考案を使用した際の状作動状態について以下に説明を行う。図４と図５を参照する。図４と図５は、本考案の好ましい実施例の実施を示した説明図１と説明図２である。図から分かるように、使用者が、足を第二バー３１２の引っかけ部３１に置き、駆動モーター２に設けた電源コード２０をコンセントに接続して作動させると、駆動モーター２に連動した回転部材２１が往復運動を行い、回転部材２１がコンタクト部材３０に接触し、この時、回転部材２１に枢設されたローラー２１０によって、コンタクト部材３０が連動する。この時、コンタクト部材３０に設けられた第一バー３１１がすぐに連動して移動し、それと同時に、第一バー３１１と垂直の角度で設けられた第二バー３１２が、使用者の足を上に持ち上げ、アクティブモジュール３が最高点まで移動した時、回転部材２１がコンタクト部材３０から離れ始める。コンタクト部材３０を上に持ち上げる外部の力がなくなった時、アクティブモジュール３は瞬間的に落下し、緩衝モジュール４に設けられた当接部材４６にコンタクト部材３０が当接する。コンタクト部材３０と当接部材４６が相互に接触したその瞬間、当接部材４６の両端に連結されて作動するスライドブロック４３が、支持部材４２上で、重力により移動し、それと同時に、各スライドブロック４３と固定部材２２に連結されて作動する弾性部材４４により、アクティブモジュール３が瞬間的に落下する力が軽減される。各支持部材４２には、スライドブロック４３がスライドして飛び出てしまうのを防ぐ位置決め部材４５が設けられ、保護作用をもつとともに、上述した上、下往復運動によって、脊椎を真っすぐにすることができる。このように、本考案は、実用進歩性を備える。
【００１２】
以上で述べた説明は、本考案の好ましい実施例にすぎず、これにより、本考案の実用新案登録請求の範囲を制限するものではない。本考案の明細書及び図の内容をもとに多少の変化を加えた同じ効果をもつ構造は、いずれも、本考案の実用新案登録請求の範囲内に含まれるものとする。
【００１３】
全ての図を参照する。本考案を使用すると、従来の技術と比較して、以下の利点が存在する。アクティブモジュール３、駆動モーター２、及び緩衝モジュール４を組み合わせて上下の往復運動をさせることにより、脊椎を整えることができる。
【符号の説明】
【００１４】
１      台座
２      駆動モーター
２０    電源コード
２１    回転部材
２１０  ローラー  
２２    固定部材
２２０  穿設部
３      アクティブモジュール
３０    コンタクト部材
３１    引っかけ部
３１１  第一バー
３１２  第二バー
４      緩衝モジュール
４１    固定横バー
４２    支持部材
４３    スライドブロック
４４    弾性部材
４５    位置決め部材
４６    当接部材
【図１】
0003178059.tif 000003
【図２】
0003178059.tif 000004
【図３】
0003178059.tif 000005
【図４】
0003178059.tif 000006
【図５】
0003178059.tif 000007